(57)【要約】【課題】  メンテナンス作業を容易にするとともに、表示ムラを可及的に防止し、装置内で発生する熱を効率よく装置外へ放散できるマルチディスプレイ装置を提供する。【解決手段】  マルチディスプレイ装置１は、少なくとも上下方向Ｙに並設される複数の画像表示装置１０と、各画像表示装置１０の表示部１１の背後に設けられ、各画像表示装置１０の上部１５において開口する上部開口部３１および各画像表示装置１０の下部１６において開口する下部開口部３２を有し、上部開口部３１および下部開口部３２間にわたって流路３３を形成する筒状のダクト２１と、上下方向Ｙに隣接する一対の画像表示装置１０のうちの上段の画像表示装置１０の下部開口部３２と、下段の画像表示装置１０の上部開口部３１とを連通させるとともに、上段の画像表示装置１０の重量を下段の画像表示装置１０に設けられるダクト２１に伝達する接続構造部２２とを含む。【選択図】      図３
2014026060.tif 000002
【特許請求の範囲】
【請求項１】
画像を表示可能な表示パネルを有する複数の画像表示装置であって、少なくとも上下方向に並設される複数の画像表示装置と、
前記各画像表示装置の表示パネルの背後に設けられ、各画像表示装置の上部において開口する上部開口部および各画像表示装置の下部において開口する下部開口部を有し、上部開口部および下部開口部間にわたって流路を形成する筒状の流路形成体と、
前記上下方向に隣接する一対の画像表示装置のうちの上側に配置される上段の画像表示装置の流路形成体の下部開口部と、下側に配置される下段の画像表示装置の流路形成体の上部開口部とを連通させるとともに、上段の画像表示装置の重量を下段の画像表示装置に設けられる流路形成体に伝達する接続構造部と、を含むことを特徴とするマルチディスプレイ装置。
【請求項２】
前記接続構造部は、上段の画像表示装置の流路形成体の下部開口部に一体的に形成される下部嵌合部と、下段の画像表示装置の流路形成体の上部開口部に一体的に形成され、前記下部嵌合部に嵌合可能な上部嵌合部とによって構成されることを特徴とする請求項１に記載のマルチディスプレイ装置。
【請求項３】
前記接続構造部は、上段の画像表示装置の流路形成体の下部開口部に接続可能な下部接続部と、下段の画像表示装置の流路形成体の上部開口部に接続可能な上部接続部とを有する接続部材から成ることを特徴とする請求項１に記載のマルチディスプレイ装置。
【請求項４】
前記流路形成体は、前記上下方向に垂直な仮想一平面で切断したときの流路の形状がＬ字状であることを特徴とする請求項１〜３のいずれか１つに記載のマルチディスプレイ装置。
【発明の詳細な説明】
【技術分野】
【０００１】
本発明は、複数の画像表示装置を少なくとも上下方向に並設して構築されるマルチディスプレイ装置に関する。
【背景技術】
【０００２】
近年、液晶ディスプレイやプラズマディスプレイなどの画像表示装置を、マトリクス状にあるいは一列に配置して構築されるマルチディスプレイ装置が、インフォメーションディスプレイおよび業務用ディスプレイなどとして用いられるようになっている（たとえば、特許文献１参照）。
【０００３】
従来から、このようなマルチディスプレイ装置を公共の場所などに設置する際には、専用のスタンド装置が用いられている。図７は、スタンド装置１１０を用いて設置されたマルチディスプレイ装置１００を背面側から見た図である。図８は、図７に示すマルチディスプレイ装置１００を構成している画像表示装置１２０の背面図である。図９は、図７における切断面線ＩＸ−ＩＸから見た断面を簡略化して示す画像表示装置１２０の断面図である。図１０は、図７における切断面線Ｘ−Ｘから見た断面を簡略化して示すマルチディスプレイ装置１００の断面図である。
【０００４】
従来技術に係るマルチディスプレイ装置１００では、各画像表示装置１２０は、装置内部に設けられた基板１２１を背面側から被覆する背面キャビネット１２２に形成されたＶＥＳＡ（Video Electronics Standards Association）ホール１２３を利用して、取付金具１１１がビスなどの締結具１１２を用いて締結固定され、この取付金具１１１を介して、スタンド装置１１０に締結固定されている。
【０００５】
このような方法で設置されたマルチディスプレイ装置１００では、画像表示装置１２０に不具合が発生した場合やメンテナンスを行う場合に、先ず、その画像表示装置１２０をスタンド装置１１０から取り外し、さらに、背面キャビネット１２２に固定されている取付金具１１１を取り外してから、背面キャビネット１２２を取り外して、基板１２１の交換などのメンテナンス作業を行っている。
【０００６】
このように、従来技術に係るマルチディスプレイ装置１００では、画像表示装置１２０のメンテナンス作業を行う際に、スタンド装置１１０からの取り外し作業が必要となるため、メンテナンス作業に多大な時間と労力とを要しているという問題がある。特に、最下段に配置される画像表示装置１２０に対してメンテナンス作業を行う場合には、従来から用いられているスタンド装置１１０の構造上、当該画像表示装置１２０の上段に配置される全ての画像表示装置１２０を一旦取り外さなければならず、さらに多大な時間と労力とを要しているという問題がある。
【０００７】
また、前記のスタンド装置１１０を用いて設置されたマルチディスプレイ装置１００では、各画像表示装置１２０は、その重心の位置が、スタンド装置１１０への取付位置に対して前方に大きく離間した状態で設置されているため、該画像表示装置１２０の自重による傾きやひずみなどに起因して、表示部１２４に表示される画面に表示ムラなどが発生しやすいという問題がある。
【０００８】
また、図９および図１０に示すように、従来から、画像表示装置１２０には、装置内部で発生する熱を装置外へ効率よく放散するために、装置の背面部における上部において開口する開口部１３１および該背面部における下部において開口する開口部１３２を有し、各開口部１３１，１３２間にわたって延びる流路１３３であって、装置前側に設けられる表示部１２４と表示部１２４の背後に設けられる基板１２１との間を上下方向に延びる部分を有する流路１３３を形成する筒状の流路形成体１３４が設けられている。
【０００９】
しかしながら、前記のスタンド装置１１０を用いて設置されたマルチディスプレイ装置１００では、背面側にスタンド装置１１０が設けられるため、そのスタンド装置１１０の存在により空気の滞留などが生じ、画像表示装置１２０内で発生した熱を効率よく放散することができていないという問題がある。
【先行技術文献】
【特許文献】
【００１０】
【特許文献１】特開２０１２−７９１９４号公報
【発明の概要】
【発明が解決しようとする課題】
【００１１】
本発明の目的は、複数の画像表示装置を少なくとも上下方向に並設して構築されるマルチディスプレイ装置であって、各画像表示装置のメンテナンス作業を容易にするとともに、各画像表示装置の傾きやひずみに起因する表示ムラを可及的に防止し、各画像表示装置内で発生する熱を効率よく装置外へ放散することができるマルチディスプレイ装置を提供することである。
【課題を解決するための手段】
【００１２】
本発明は、画像を表示可能な表示パネルを有する複数の画像表示装置であって、少なくとも上下方向に並設される複数の画像表示装置と、
前記各画像表示装置の表示パネルの背後に設けられ、各画像表示装置の上部において開口する上部開口部および各画像表示装置の下部において開口する下部開口部を有し、上部開口部および下部開口部間にわたって流路を形成する筒状の流路形成体と、
前記上下方向に隣接する一対の画像表示装置のうちの上側に配置される上段の画像表示装置の流路形成体の下部開口部と、下側に配置される下段の画像表示装置の流路形成体の上部開口部とを連通させるとともに、上段の画像表示装置の重量を下段の画像表示装置に設けられる流路形成体に伝達する接続構造部と、を含むことを特徴とするマルチディスプレイ装置である。
【００１３】
また本発明は、前記接続構造部は、上段の画像表示装置の流路形成体の下部開口部に一体的に形成される下部嵌合部と、下段の画像表示装置の流路形成体の上部開口部に一体的に形成され、前記下部嵌合部に嵌合可能な上部嵌合部とによって構成されることを特徴とする。
【００１４】
また本発明は、前記接続構造部は、上段の画像表示装置の流路形成体の下部開口部に接続可能な下部接続部と、下段の画像表示装置の流路形成体の上部開口部に接続可能な上部接続部とを有する接続部材から成ることを特徴とする。
【００１５】
また本発明は、前記流路形成体は、前記上下方向に垂直な仮想一平面で切断したときの流路の形状がＬ字状であることを特徴とする。
【発明の効果】
【００１６】
本発明によれば、各画像表示装置のメンテナンス作業が容易となり、各画像表示装置の傾きやひずみに起因して表示ムラが発生することが可及的に防止され、各画像表示装置内で発生する熱を効率よく装置外へ放散することができる。
【図面の簡単な説明】
【００１７】
【図１】本発明の一実施形態に係るマルチディスプレイ装置１の正面図である。
【図２】本発明の一実施形態に係るマルチディスプレイ装置１において、上下方向Ｙに隣接する一対の画像表示装置１０を拡大して示す背面図である。
【図３】図１における切断面線ＩＩＩ−ＩＩＩから見た断面図である。
【図４】図１における切断面線ＩＶ−ＩＶから見た断面図である。
【図５】本発明の他の実施形態に係るマルチディスプレイ装置を構成する画像表示装置１０Ａを、上下方向Ｙに垂直な仮想一平面で切断したときの断面図である。
【図６】本発明の他の実施形態に係るマルチディスプレイ装置１Ｂを、左右方向Ｘに垂直な仮想一平面で切断したときの断面図である。
【図７】スタンド装置１１０を用いて設置されたマルチディスプレイ装置１００を背面側から見た図である。
【図８】図７に示すマルチディスプレイ装置１００を構成している画像表示装置１２０の背面図である。
【図９】図７における切断面線ＩＸ−ＩＸから見た断面を簡略化して示す画像表示装置１２０の断面図である。
【図１０】図７における切断面線Ｘ−Ｘから見た断面を簡略化して示すマルチディスプレイ装置１００の断面図である。
【発明を実施するための形態】
【００１８】
図１は、本発明の一実施形態に係るマルチディスプレイ装置１の正面図である。図２は、本発明の一実施形態に係るマルチディスプレイ装置１において、上下方向Ｙに隣接する一対の画像表示装置１０を拡大して示す背面図である。図３は、図１における切断面線ＩＩＩ−ＩＩＩから見た断面図である。図４は、図１における切断面線ＩＶ−ＩＶから見た断面図である。
【００１９】
マルチディスプレイ装置１は、画像を表示可能な画像表示装置１０を、互いに直交する上下方向Ｙおよび左右方向Ｘに沿って、少なくとも上下方向Ｙに複数並設されるように配置して構築される。上下方向Ｙは、たとえば鉛直方向であり、左右方向Ｘは、たとえば水平方向である。
【００２０】
本実施形態では、図１に示すように、４台の画像表示装置１０を、縦横２×２のマトリクス状に配置することによって構築されたマルチディスプレイ装置１を例に挙げて説明する。なお、マルチディスプレイ装置１を構成する各画像表示装置１０は、それぞれ同一に構成されているものとする。
【００２１】
画像表示装置１０は、画像を表示可能な矩形板状の表示パネル１４を有する表示部１１と、表示部１１の背後に設けられ、表示パネル１４を駆動するための複数の回路基板１２と、複数の回路基板１２を表示部１１の背後から被覆するように設けられ、表示部１１に着脱可能に固定される背面キャビネット１３とを含んで構成される。
【００２２】
画像表示装置１０は、たとえば液晶表示装置、プラズマディスプレイ装置、および有機ＥＬ（Electroluminescence）ディスプレイ装置などのフラットパネルディスプレイ装置によって実現される。
【００２３】
たとえば画像表示装置１０が液晶表示装置によって実現される場合、表示部１１は、表示パネル１４に相当する液晶パネルと、液晶パネルの背後に設けられるバックライトユニットとによって構成され、また、複数の回路基板１２は、液晶表示装置の全体的な動作を制御するとともに、外部から入力される映像信号に対してスケーリング処理など所定の処理を行うメインインタフェース基板、液晶表示装置内部の各部に電源を供給する電源回路基板、バックライトユニットに搭載されるＬＥＤ（Light Emitting Diode）などの光源を駆動する光源駆動基板、液晶パネルの駆動を制御するＬＣＤ−ＴＣＯＮ（Liquid Crystal Display - Timing Controller）基板などを含んで構成される。
【００２４】
本実施形態に係るマルチディスプレイ装置１は、各画像表示装置１０の表示部１１の背後に設けられ、各画像表示装置１０の上部１５において開口する上部開口部３１および各画像表示装置１０の下部１６において開口する下部開口部３２を有し、上部開口部３１および下部開口部３２間にわたって流路３３を形成する筒状のダクト２１（流路形成体）と、上下方向Ｙに隣接する一対の画像表示装置１０のうちの上側に配置される上段の画像表示装置１０の下部開口部３２と、下側に配置される下段の画像表示装置１０の上部開口部３１とを連通させるとともに、上段の画像表示装置１０の重量を下段の画像表示装置１０に設けられるダクト２１に伝達する接続構造部２２とを含んで構成される。
【００２５】
各ダクト２１は、熱伝導率の高い、たとえばアルミニウムなどの金属材料から成り、本実施形態では、それぞれ同一の形状に形成され、図４に示すように、四角筒状に形成されている。詳細には、各ダクト２１は、その軸線に垂直な仮想一平面で切断したときの流路３３の形状が、横長の矩形状を成すように形成されている。このように形成される各ダクト２１は、その軸線が、上下方向Ｙに一致するように、画像表示装置１０に設けられる。
【００２６】
また、本実施形態では、図２および図４に示すように、ダクト２１は、１つの画像表示装置１０において４つ設けられている。より詳細には、１つの画像表示装置１０において４つのダクト２１は、左右方向Ｘに沿って、互いに間隔をあけて並設されている。
【００２７】
なお、４つのダクト２１は、各画像表示装置１０においてそれぞれ同一の位置に設けられる。換言すれば、マルチディスプレイ装置１を構築するために画像表示装置１０を上下方向Ｙに並設したとき、上段の画像表示装置１０に設けられる４つのダクト２１の下側の各端面と、下段の画像表示装置１０に設けられる４つのダクト２１の上側の各端面とは、それぞれ対向して配置される。
【００２８】
１つの画像表示装置１０において４つのダクト２１は、流路３３を規定する４つの側壁部のうちの一方の幅広の側壁部が、表示部１１の背面部に面接触するように、表示部１１に固定して設けられる。また、他方の幅広の側壁部には、各回路基板１２が固定される。
【００２９】
このとき、ダクト２１と表示部１１は、熱伝導可能に接合されているものとする。ここで、熱伝導可能に接合されるとは、接合される部材間に断熱効果のあるプラスチックやゴムなどの断熱材が介在されず、接合される部材同士が密着して接合されて、接合される部材間で熱が自由に伝達されるという意味である。
【００３０】
したがって、画像表示装置１０を単独で動作させたとき、換言すれば表示パネル１４に画像が表示されているときに、表示部１１で発生した熱は、これらに熱伝導可能に接合されたダクト２１に伝わり、ダクト２１内の流路３３における空気を暖める。そして、暖められた空気は、周囲の空気よりも比重が軽くなるので、ダクト２１内を上昇し、ダクト２１の上部開口部３１から外部へ排出される。
【００３１】
暖められた空気が外部へ排出されると、ダクト２１内の気圧が下がるため、ダクト２１の内外で気圧差が生じ、ダクト２１の下部開口部３２から外部の空気を引き込み、空気の自然対流が生じる。このようにダクト２１内に空気の自然対流が発生することによって、表示部１１で発生した熱が、外部へ放散され、回路基板１２への影響を少なくすることができる。
【００３２】
接続構造部２２は、本実施形態では、上段の画像表示装置１０に設けられるダクト２１の下部開口部３２に接続可能な下部接続部４１と、下段の画像表示装置１０に設けられるダクト２１の上部開口部３１に接続可能な上部接続部４２とを有する接続部材４３から成る。
【００３３】
接続部材４３は、金属材料によって大略的に四角筒状に形成された部材であり、その軸線方向の一方に下部接続部４１が形成され、軸線方向の他方に、上部接続部４２が形成される。
【００３４】
下部接続部４１とダクト２１の下部開口部３２とは嵌め合い構造を成し、下部接続部４１は、ダクト２１の下部開口部３２内に挿込み可能に形成されている。同様に、上部接続部４２とダクト２１の上部開口部３１とは嵌め合い構造を成し、上部接続部４２は、ダクト２１の上部開口部３１内に挿込み可能に形成されている。
【００３５】
また、接続部材４３には、その軸線方向において下部接続部４１と上部接続部４２との間において、四角筒状の外周面から外方に突出し、その軸線に垂直な仮想一平面に平行に延びるフランジ部４４が設けられている。
【００３６】
本実施形態に係るマルチディスプレイ装置１において、上下方向Ｙに隣接する一対の画像表示装置１０は、下側に配置される下段の画像表示装置１０に設けられる各ダクト２１の上部開口部３１に、４つの接続部材４３の各上部接続部４２をそれぞれ挿込み、さらに、下段の画像表示装置１０の上部１５から突出する各下部接続部４１を、上側に配置される上段の画像表示装置１０の下部開口部３２にそれぞれ挿込み、上部開口部３１と上部接続部４２とを締結具４５を用いて締結固定するとともに、下部開口部３２と下部接続部４１とを締結具４５を用いて締結固定することによって互いに連結され、このように連結することによって、上段の画像表示装置１０は、下段の画像表示装置１０によって支持される。すなわち、接続部材４３は、上段の画像表示装置１０の重量を、下段の画像表示装置１０に設けられるダクト２１に伝達するように機能する。
【００３７】
また、接続部材４３におけるフランジ部４４は、下段の画像表示装置１０の上部１５と、上段の画像表示装置１０の下部１６との間に配置されて、スペーサとして機能する。
接続部材４３は、ダクト２１と同一の材料であってもよいが、上段の画像表示装置１０の重量を、下段の画像表示装置１０に設けられるダクト２１に伝達して、上段の画像表示装置１０を下段の画像表示装置１０に支持されるようにすることを考慮すると、ダクト２１よりも高剛性の金属材料によって形成されてもよく、ダクト２１の厚みよりも肉厚に形成してもよい。
【００３８】
以上のように、本実施形態によれば、マルチディスプレイ装置１において、上下方向Ｙに隣接する一対の画像表示装置１０は、画像表示装置１０の内部で発生する熱を外部へ放散するために画像表示装置１０を上下方向Ｙに貫通して設けられたダクト２１同士が、互いの流路３３が連通するように、接続部材４３を用いて連結される。これにより、連結されたダクト２１を、上下方向Ｙに延びる支柱として機能させる。
【００３９】
したがって、図７に示すような専用のスタンド装置を用いることなくマルチディスプレイ装置１を設置することができるので、設置費用を低減することができるとともに、設置スペースも低減することができる。
【００４０】
また、本実施形態によれば、マルチディスプレイ装置１を構成する画像表示装置１０に対してメンテナンス作業を行う際には、その画像表示装置１０が段組みされている状態で、背面キャビネット１３を取り外して、回路基板１２の交換などのメンテナンス作業を行うことができる。このように、画像表示装置１０をスタンド装置から取り外す作業を省略することができるので、画像表示装置１０のメンテナンス作業が容易となる。
【００４１】
また、本実施形態によれば、専用のスタンド装置を用いてマルチディスプレイ装置を設置する場合に比べて、画像表示装置１０の重心の位置と、下段の画像表示装置１０への連結位置との、表示部１１の厚み方向における距離を小さくすることができる。したがって、画像表示装置１０の自重による傾きやひずみなどに起因した表示ムラを可及的に防止することができる。なお、接続部材４３に設けられるフランジ部４４を、画像表示装置１０の重心の位置よりも前方まで延びるような大きさに形成することによって、画像表示装置１０の自重による傾きやひずみなどに起因した表示ムラを確実に防止することができる。
【００４２】
また、本実施形態によれば、専用のスタンド装置を用いる必要がなくなるので、マルチディスプレイ装置１の背面側における空気の滞留を防ぐことができる。また、上下方向Ｙに隣接する一対の画像表示装置１０において、上段の画像表示装置１０に設けられる各ダクト２１内の流路３３と、下段の画像表示装置１０に設けられる各ダクト２１の流路３３とが、接続部材４３を介して互いに連通されるので、前記一対の画像表示装置１０を上下方向Ｙに貫くように流路が形成される。このように上下方向Ｙに延びる空気の流路では、一般に上段の画像表示装置１０に設けられる各ダクト２１の上部開口部３１における気圧が、下段の画像表示装置１０に設けられる各ダクト２１の下部開口部３２における気圧に比べて低いため、該下部開口部３２における空気が自然に上方へ流れる煙突現象を生じる。そのため、各ダクト２１内の空気は、強制的に上段の画像表示装置１０に設けられる各ダクト２１の上部開口部３１へ送られ、該上部開口部３１から外部に放出されるので、このような煙突現象によっても、画像表示装置１０内で発生した熱を効率よく放散することができる。
【００４３】
なお、図１および図３に示すように、マルチディスプレイ装置１を床面に設置するための台座部６０を、最下段に配置される画像表示装置１０に連結することによって、マルチディスプレイ装置１が構成される場合には、内部に流路３３が形成された台座部６０を用い、台座部６０の流路３３と、最下段に配置される画像表示装置１０に設けられるダクト２１内の流路３３とが互いに連通するように構成するのが好ましい。
【００４４】
図５は、本発明の他の実施形態に係るマルチディスプレイ装置を構成する画像表示装置１０Ａを、上下方向Ｙに垂直な仮想一平面で切断したときの断面図である。本実施形態に係るマルチディスプレイ装置は、各画像表示装置１０Ａにおいて左右方向Ｘの両端に設けられるダクト２１Ａの形状が、上記の実施形態に係るマルチディスプレイ装置１を構成する画像表示装置１０と異なっている。
【００４５】
図５に示すように、上下方向Ｙに垂直な仮想一平面で切断したときの流路３３Ａの形状がＬ字状となるように、ダクト２１Ａを形成することによって、ダクト２１Ａの剛性を向上させ、支柱としての機能を増強することができる。
【００４６】
図６は、本発明の他の実施形態に係るマルチディスプレイ装置１Ｂを、左右方向Ｘに垂直な仮想一平面で切断したときの断面図である。本実施形態に係るマルチディスプレイ装置１Ｂは、上記の実施形態に係るマルチディスプレイ装置１と比べて、接続構造部２２Ｂの構造が異なっている。
【００４７】
本実施形態では、接続構造部２２Ｂは、上段の画像表示装置１０のダクト２１の下部開口部３２に一体的に形成される下部嵌合部５１と、下段の画像表示装置１０のダクト２１の上部開口部３１に一体的に形成され、前記下部嵌合部５１に嵌合可能な上部嵌合部５２とによって構成されている。本実施形態においても、上記の実施形態と同様の効果が達成される。
【符号の説明】
【００４８】
１  マルチディスプレイ装置
１０  画像表示装置
１１  表示部
１２  回路基板
１３  背面キャビネット
１４  表示パネル
２１  ダクト
２２  接続構造部
３１  上部開口部
３２  下部開口部
３３  流路
４１  下部接続部
４２  上部接続部
４３  接続部材
４４  フランジ部
【図１】
2014026060.tif 000003
【図２】
2014026060.tif 000004
【図３】
2014026060.tif 000005
【図４】
2014026060.tif 000006
【図５】
2014026060.tif 000007
【図６】
2014026060.tif 000008
【図７】
2014026060.tif 000009
【図８】
2014026060.tif 000010
【図９】
2014026060.tif 000011
【図１０】
2014026060.tif 000012